(57)【要約】      （修正有）【課題】猫による糞害を軽減するため、排泄行動を抑制する製剤を提供する。【解決手段】１−ブタノール、フェノール、プロピオン酸メチル、インドール及びアセトフェノンを排泄抑制成分として含有する猫排泄抑制組成物を溶剤に溶解し、この溶液を軽石などの固体担体に含浸させて、猫に排泄させたくない場所を処理する。【選択図】図１
2018023287.tif 000002
【特許請求の範囲】
【請求項１】
１−ブタノール、フェノール、プロピオン酸メチル、インドール及びアセトフェノンを排泄抑制成分として含有することを特徴とする猫排泄抑制組成物。
【請求項２】
１−ブタノールを０．００１〜５質量％、フェノールを０．０００１〜１質量％、プロピオン酸メチルを０．００１〜５質量％、インドールを０．０００１〜１質量％、アセトフェノンを０．０１〜１０質量％含有する請求項１に記載の猫排泄抑制組成物。
【請求項３】
１−ブタノールを０．００５〜２質量％、フェノールを０．００１〜１質量％、プロピオン酸メチルを０．００５〜２質量％、インドールを０．００１〜１質量％、アセトフェノンを０．０１〜５質量％含有する請求項１または２に記載の猫排泄抑制組成物。
【請求項４】
排泄抑制成分を溶剤に溶解した溶液である請求項１または２に記載の猫排泄抑制組成物。
【請求項５】
溶剤がパラフィン系溶剤である請求項４に記載の猫排泄抑制組成物。
【請求項６】
排泄抑制成分を溶解した溶液を固体担体に含浸させた請求項１〜４のいずれかに記載の猫排泄抑制組成物。
【請求項７】
固体担体が、軽石、ベントナイト、珪藻土、バーミキュライト、及び珪石から選択される請求項６に記載の猫排泄抑制組成物。
【発明の詳細な説明】
【技術分野】
【０００１】
本発明は猫排泄抑制組成物に関する。さらに詳しく言えば、１−ブタノール、フェノール、プロピオン酸メチル、インドール及びアセトフェノンを含有することを特徴とする猫排泄抑制組成物に関する。
【背景技術】
【０００２】
日常生活において犬・猫・齧歯類などが人間の周り愛玩動物として飼育されており、馴染み深い動物である。特に猫は年々飼育頭数も増えてきており、より人間に身近な存在になってきている。一方で、放し飼いの猫、人間に飼育されていない猫（いわゆる野良猫）などが意図しない場所に侵入して迷惑を受けている人もいる。特に糞尿被害による臭気・掃除の手間などで迷惑を受けている人も少なくない。
被害を軽減するため、視覚聴覚効果に訴えて忌避を狙ったもの（特開２００６−２０５９８号公報；特許文献１、特開平７−３２２８０５号公報；特許文献２）などが開発されてきたが猫の学習能力が高く、効果が長続きするものは少ない。
【０００３】
また、臭覚効果に訴えて忌避を狙ったもの（特開２００４−１４３０５８号公報；特許文献３）も開発・販売されてきたが、被害の軽減には至らず十分な効果が得られていないのが実情である。
【先行技術文献】
【特許文献】
【０００４】
【特許文献１】特開２００６−２０５９８号公報
【特許文献２】特開平７−３２２８０５号公報
【特許文献３】特開２００４−１４３０５８号公報
【発明の概要】
【発明が解決しようとする課題】
【０００５】
本発明の課題は、猫の糞尿被害を軽減することが可能な猫排泄抑制組成物を提供することにある。
【課題を解決するための手段】
【０００６】
本発明者らは、上記課題を解決すべく、猫の糞に含まれる成分と猫の社会的優位性との関係、すなわち繁殖成功回数が多い個体と少ない個体、年齢の相関、体重の相関等について比較検討した。その結果、社会的優位性の低い個体に比べて、社会的優位性が高い個体の糞には１−ブタノール、フェノール、プロピオン酸メチル、インドール及びアセトフェノンの含有量が多いことを見出した。また、これらの成分を含む組成物で猫に排泄させたくない場所を処理することにより、その場所おける猫の排泄が抑制されることを確認し、これらの知見に基づいて本発明を完成した。
【０００７】
すなわち、本発明は下記１〜５の猫の排泄抑制組成物を提供する。
１．１−ブタノール、フェノール、プロピオン酸メチル、インドール及びアセトフェノンを排泄抑制成分として含有することを特徴とする猫の排泄抑制組成物。
２．１−ブタノールを０．００１〜５質量％、フェノールを０．０００１〜１質量％、プロピオン酸メチルを０．００１〜５質量％、インドールを０．０００１〜１質量％、アセトフェノンを０．０１〜１０質量％含有する請求項１に記載の猫排泄抑制組成物。
３．１−ブタノールを０．００５〜２質量％、フェノールを０．００１〜１質量％、プロピオン酸メチルを０．００５〜２質量％、インドールを０．００１〜１質量％、アセトフェノンを０．０１〜５質量％含有する請求項１または２に記載の猫排泄抑制組成物。
４．排泄抑制成分を溶剤に溶解した溶液である前項１または２に記載の猫排泄抑制組成物。
５．溶剤がパラフィン系溶剤である前項４に記載の猫排泄抑制組成物。
６．排泄抑制成分を溶解した溶液を固体担体に含浸させた前項１〜４のいずれかに記載の猫排泄抑制組成物。
７．固体担体が、軽石、ベントナイト、珪藻土、バーミキュライト、及び珪石から選択される前項６に記載の猫排泄抑制組成物。
【発明の効果】
【０００８】
１−ブタノール、フェノール、プロピオン酸メチル、インドール及びアセトフェノンを含有する組成物は猫の排泄行為を抑制することが出来、糞尿被害を抑制することが出来る。
【図面の簡単な説明】
【０００９】
【図１】試験例における、薬剤処理の説明図である。
【図２】比較例及び実施例の結果を示すグラフである。
【発明を実施するための形態】
【００１０】
本発明に係る猫排泄抑制組成物は、猫排泄抑制成分として１−ブタノール、フェノール、プロピオン酸メチル、インドール及びアセトフェノンを含有する。これらの成分は、猫の糞に含まれる代謝物質であり、その含有量は、社会的優位性が低い個体に比べて、社会的優位性が高い個体（ボス猫、繁殖成功回数が多い雄猫）の糞の方に多いことが確認されている。
１−ブタノール、フェノール、プロピオン酸メチル、インドール及びアセトフェノンの配合割合は、１−ブタノールが０．００１〜５質量％、好ましくは０．００５〜２質量％、フェノールが０．０００１〜１質量％、好ましくは０．００１〜１質量％、プロピオン酸メチルが０．００１〜５質量％、好ましくは０．００５〜２質量％、インドールが０．０００１〜１質量％、好ましくは０．００１〜１質量％、アセトフェノンが０．０１〜１０質量％、好ましくは０．０１〜５質量％である。各成分の配合割合が下限値以下だと、猫排泄抑制効果が見られず、また上限を超えると臭気が強くなる問題があり、またコスト的にも不利となる。
なお、これら成分は市販の化学合成品だけでなく、猫の排泄物から抽出したものを使用することも出来る。
【００１１】
本発明の猫排泄抑制組成物は、液体製剤、エアゾール剤、あるいは固体製剤に調剤して、この調剤で猫に排泄させたくない場所を処理することにより、その場所における猫の排泄を抑制することができる。
液体製剤（液剤）：
本発明では、有効成分（排泄抑制成分）を溶剤に溶かした液体製剤（液剤）として利用することが出来る。
溶剤の例としては、グリコールエーテル系（例：プロピレングリコールモノメチルエーテル、プロピレングリコールモノブチルエーテルなど）、パラフィン系（ノルマルパラフィン、イソパラフィンなど）、エステル系溶剤（ミリスチン酸イソプロピル、オレイン酸メチルなど）などから１種または２種以上利用することができる。この中でも有効成分の溶解性、溶剤自体の揮発性が低いこと及びコストを考慮しイソパラフィン系溶剤が好ましい。
【００１２】
上記溶液に所望により水、界面活性剤、凍結防止剤、防腐剤、酸化防止剤及び増粘剤を添加し、一般的に家庭用で使用されるポンプ式ハンドスプレー形態などにして利用することが出来る。
水としては、水道水、イオン交換水、蒸留水などが挙げられる。
【００１３】
界面活性剤としては、非イオン性界面活性剤、陰イオン性界面活性剤等を用いることができる。非イオン性界面活性剤としては、例えば、ポリオキシアルキレンアリルフェニルエーテル、ポリオキシエチレンアルキルエーテル、ポリオキシエチレンアルキルフェニルエーテル、ポリオキシエチレンアリルフェニルエーテル、ポリオキシエチレンスチリルフェニルエーテル、ポリオキシエチレンアルキルフェニルエーテルホルムアルデヒド縮合物、ポリオキシエチレン−ポリオキシプロピレンブロックポリマー、ポリオキシエチレン−ポリオキシプロピレンブロックポリマーアルキルフェニルエーテル、ソルビタン脂肪酸エステル（例、ソルビタンモノオレート、ソルビタンラウレート）、ポリオキシエチレン脂肪酸エステル、ポリオキシエチレンソルビタン脂肪酸エステル、ポリオキシエチレンカスターオイルエーテル、ポリエチレングリコール脂肪酸エステルなどが挙げられる。
陰イオン性界面活性剤としては、例えば、硫酸アルキル、ポリオキシエチレンアルキルエーテル硫酸、ポリオキシエチレンアルキルフェニルエーテル硫酸、ポリオキシエチレンベンジル（またはスチリル）フェニルエーテル硫酸またはポリオキシエチレン−ポリオキシプロピレンブロックポリマー硫酸のナトリウム、カルシウムまたはアンモニウムの各塩；スルホン酸アルキル、ジアルキルスルホサクシネート、アルキルベンゼンスルホン酸（例、ドデシルベンゼンスルホン酸カルシウムなど）、モノ−またはジ−アルキルナフタレン酸スルホン酸、ナフタレンスルホン酸ホルムアルデヒド縮合物、リグニンスルホン酸、ポリオキシエチレンアルキルフェニルエーテルスルホン酸またはポリオキシエチレンアルキルエーテルスルホサクシネートのナトリウム、カルシウム、アンモニウムまたはアルカノールアミン塩の各塩；ポリオキシエチレンアルキルエーテルホスフェート、ポリオキシエチレンモノ−またはジ−アルキルフェニルエーテルホスフェート、ポリオキシエチレンベンジル（またはスチリル）フェニルエーテルホスフェートまたはポリオキシエチレン−ポリオキシプロピレンブロックポリマーホスフェートのナトリウムまたはカルシウム塩などの各塩が挙げられる。
【００１４】
凍結防止剤としては、例えば、エタノール、エチレングリコール、プロピレングリコール、エチルセロソルブ、ブチルカルビトール、３−メチル−メトキシブタノール等が挙げられる。
【００１５】
防腐剤としては、例えば、プリベントールＤ２（化学名：ベンジルアルコールモノ（ポリ）ヘミホルマル）、ＰＲＯＸＥＬ ＧＸＬ（Ｓ）（化学名：１，２−ベンゾイソチアゾリン−３−オン，２０％）、バイオホープ及びバイオホープＬ（化学名：有機窒素硫黄系複合物、有機臭素系化合物）、ベストサイド−７５０(化学名：イソチアゾリン系化合物、２．５〜６．０％)、５−クロロ−２−メチル−４−イソチアゾリン−３−オン、２−メチル−４−イソチアゾリン−３−オン、２−ブロモ−２−ニトロプロパン−１，３−ジオール、安息香酸ナトリウム、ソルビン酸カリウム、デヒドロ酢酸ナトリウム、パラクロロメタキシレノール、２，６−ジメチルフェノール等が挙げられる。
【００１６】
酸化防止剤としては、テトラキス〔メチレン−３−（３，５−ジ−ｔ−ブチル−４−ヒドロキシフェニル）プロピオネート〕メタン（トミノックスＴＴ，（株）エーピーアイコーポレーション，商品名／IRGANOX1010又はIRGANOX1010EDS，チバ・ジャパン（株），商品名）、ブチル化ヒドロキシトルエン（ＢＨＴ）、ブチル化ヒドロキシアニソール（ＢＨＡ）、没食子酸プロピル、及びビタミンＥ、混合トコフェロール、α−トコフェロール、エトキシキン及びアスコルビン酸等が挙げられる。
【００１７】
増粘剤としてはＰＶＰ Ｋ−１５(化学名：ポリビニルピロリドン)、キサンタンガム、ポリビニルアルコール、グアーガム、カルボキシビニルポリマー等が挙げられる。
【００１８】
液体製剤の調製方法について以下に説明する。
前述の猫排泄抑制成分（１−ブタノール、フェノール、プロピオン酸メチル、インドール及びアセトフェノン）を所定量溶剤に溶解・混合し、必要に応じて加温、撹拌を行い溶解する。必要に応じて界面活性剤、凍結防止剤、消泡剤、防腐剤、酸化防止剤及び増粘剤等などを添加混合して液体製剤を調製する。
【００１９】
エアゾール剤：
前述の液体製剤（液剤）を耐圧容器に封入し、エアゾール用噴射ガス（例えば、液化ガスとして液化石油ガス、ジメチルエーテル、圧縮ガスとして炭酸ガス、窒素ガスなど）を加えて、エアゾールとしても利用することが出来る。原液と噴射ガスの比率は噴射特性に大きく寄与するため、求める噴射特性に応じて任意に配合することが出来る。
【００２０】
固体製剤：
固体製剤としては、前述の有効成分を溶剤に溶かした溶液を鉱物質などの固体担体に含浸させた粒剤（含浸粒剤）などが挙げられる。
固体担体として軽石、ベントナイト、珪藻土、バーミキュライト、珪石等が用いられる。
【００２１】
前述の液剤を固体担体と混合して含浸させる含浸粒剤の調製方法について説明する。
担体により吸油量が異なるので、担体の吸油能によって液剤含量の異なる含浸粒剤を調製することができる。例えば、１００ｇあたり６ｇ程度の油を吸収・保持できる担体であれば、前記液体製剤について記載した配合割合で有効成分を含む例えばイソパラフィン溶液（液剤）６質量部を９４質量部の担体に含浸させて含浸粒剤１００質量部を調製することができる。
【実施例】
【００２２】
以下に、実施例、比較例及び試験例を挙げて本発明をさらに具体的に説明するが、本発明はこれらの例のみに限定されるものではない。なお、下記の例中、部は質量部を表わす。
実施例及び比較例の処方で用いた成分は以下の通りである。
【００２３】
（１）１−ブタノール：北港化学（株）製
（２）フェノール：三井物産ケミカル(株)製
（３）プロピオン酸メチル：（株）井上香料製造所製
（４）インドール：ハイケム（株））製
（５）アセトフェノン：（株）井上香料製造所製
（６）ＩＰソルベント１６２０：出光興産（株）製
（７）カガライト２号：カガライト工業（株）製
【００２４】
実施例１：
１−ブタノール０．０５１部、フェノール０．０１５４部、プロピオン酸メチル０．０８０１部、インドール０．０１１５部、アセトフェノン２．８８部を量り取り、ＩＰソルベント１６２０を加えて６部になるよう原液を調製した。その原液をカガライト２号９４部に少しずつ撹拌混合しながら加え、実施例1の組成物（１００部）を調製した。
【００２５】
比較例１：
無処理区として製剤を処理しない試験区を設け、比較例１とした。
【００２６】
試験例：
試験は日頃から猫の糞害に困っている民家の周囲で行った。図１に示すように幅１０ｃｍ・長さ２００ｃｍ・草高１５ｍｍ程度の人工芝を道幅２００ｃｍ、奥行き１５ｍの袋小路の道路に２本、２０ｃｍの間隔をおいて設置した（図１中、斜線が人工芝部分）。
実施例１の薬剤を人工芝上全面に（１０ｃｍ幅）１ｍあたり５０ｇ（５００ｇ／ｍ2）処理した。また、薬剤無し試験として比較例１を実施し、試験期間は１週間とした。２４時間ビデオカメラで録画・観察し、観察項目は人工芝上に侵入した個体の特異的な行動（歩行以外の排泄、休息、身繕い、探査、捕食）の回数をカウントとした。結果を表１に示す。また、表１のデータを％に換算した結果を表２及び図２に示す。
【００２７】
【表１】
2018023287.tif 000003
【表２】
2018023287.tif 000004
【００２８】
比較例１では排泄行動が１０％であったが、実施例１では排泄行動は認められなかった。
【産業上の利用可能性】
【００２９】
猫糞害に困っている場所を１−ブタノール、フェノール、プロピオン酸メチル、インドール及びアセトフェノンを含有する製剤で処理することにより猫糞害を抑制することが出来る。
【図１】
2018023287.tif 000005
【図２】
2018023287.tif 000006